(57)【要約】【課題】フレキシブルプリント配線板を第１および第２コネクタと電気的に接続するように構成されたコネクタ接続構造において、第１コネクタよりも第２コネクタの方が低い位置で開口している場合であっても、短絡による不具合の発生を効果的に抑制可能とする。【解決手段】フレキシブルプリント配線板１３０の第１端部１３０ａが第１コネクタ１５０Ａに挿入されるとともに第２端部１３０ｂが第１コネクタ１５０Ａよりも低い位置で開口する第２コネクタ１５０Ｂに挿入された構成を前提とした上で、フレキシブルプリント配線板１３０として、その中間部１３０ｃが第２コネクタ１５０Ｂの開口位置よりも低い位置を経由して延びるように配置された構成とする。これによりフレキシブルプリント配線板１３０に水分が付着するようなことがあっても、この水分がフレキシブルプリント配線板１３０に沿って流下して第２コネクタ１５０Ｂに浸入しまうのを効果的に抑制する。【選択図】図３
2020194618.tif 000002
【特許請求の範囲】
【請求項１】
フレキシブルプリント配線板の両端部を第１および第２コネクタに挿入することにより上記フレキシブルプリント配線板を上記第１および第２コネクタと電気的に接続するように構成されたコネクタ接続構造において、
上記第１および第２コネクタは、第１コネクタよりも第２コネクタの方が低い位置で開口するように配置されており、
上記フレキシブルプリント配線板は、上記両端部の中間に位置する中間部が上記第２コネクタの開口位置よりも低い位置を経由して延びるように配置されている、ことを特徴とするコネクタ接続構造。
【請求項２】
上記第１コネクタは下向きに開口しており、
上記第２コネクタは横向きに開口している、ことを特徴とする請求項１記載のコネクタ接続構造。
【請求項３】
上記フレキシブルプリント配線板は、上記両端部と上記中間部における上記両端部の近傍に位置する両端部近傍領域とが平板状に延びるように形成されている、ことを特徴とする請求項１または２記載のコネクタ接続構造。
【請求項４】
上記フレキシブルプリント配線板は、上記中間部における上記両端部近傍領域以外の領域がＶ字形に折れ曲がった状態で平板状に延びるように形成されている、ことを特徴とする請求項３記載のコネクタ接続構造。
【請求項５】
上記中間部においてＶ字形に折れ曲がった部分の折れ曲がり角度が１３５°以下の値に設定されている、ことを特徴とする請求項４記載のコネクタ接続構造。
【請求項６】
請求項１〜５いずれか記載のコネクタ接続構造を備えた車両用灯具であって、
光源と、この光源からの光を制御する複数の光制御要素を備えた空間光変調器と、この空間光変調器を支持する支持基板と、上記複数の光制御要素を制御するための制御回路が搭載された制御基板とを備えており、
上記支持基板に上記第１コネクタが搭載されており、
上記制御基板に上記第２コネクタが搭載されている、ことを特徴とする車両用灯具。
【発明の詳細な説明】
【技術分野】
【０００１】
本願発明は、フレキシブルプリント配線板を第１および第２コネクタと電気的に接続するように構成されたコネクタ接続構造に関するものであり、また、このようなコネクタ接続構造を備えた車両用灯具に関するものである。
【背景技術】
【０００２】
従来より、コネクタ接続構造として、フレキシブルプリント配線板の端部をコネクタに挿入することによりフレキシブルプリント配線板をコネクタと電気的に接続するように構成されたものが知られている。
【０００３】
「特許文献１」には、このようなコネクタ接続構造を備えた車両用灯具が記載されている。
【０００４】
また「特許文献２」には、フレキシブルプリント配線板の両端部を第１および第２コネクタに挿入することによりフレキシブルプリント配線板を第１および第２コネクタと電気的に接続するように構成されたコネクタ接続構造が記載されている。このコネクタ接続構造においては、第１コネクタよりも第２コネクタの方が低い位置で開口した状態で第１および第２コネクタが配置されている。
【先行技術文献】
【特許文献】
【０００５】
【特許文献１】特開２０１０−２６７４６８号公報
【特許文献２】特開平５−３３５７１４号公報
【発明の概要】
【発明が解決しようとする課題】
【０００６】
上記「特許文献２」に記載されたコネクタ接続構造のように、第１コネクタよりも第２コネクタの方が低い位置で開口している場合には、次のような課題が生じ得る。
【０００７】
すなわち、コネクタ接続構造を例えば車両用灯具等に組み込むようにした場合には、水分を含む環境下にコネクタ接続構造が配置される可能性がある。
【０００８】
このような場合において、フレキシブルプリント配線板に水分が付着するようなことがあると、この水分がフレキシブルプリント配線板に沿って流下して第２コネクタに浸入し、フレキシブルプリント配線板と第２コネクタとの間で短絡による不具合が発生してしまうおそれがある。
【０００９】
本願発明は、このような事情に鑑みてなされたものであって、フレキシブルプリント配線板を第１および第２コネクタと電気的に接続するように構成されたコネクタ接続構造において、第１コネクタよりも第２コネクタの方が低い位置で開口している場合であっても、短絡による不具合の発生を効果的に抑制することができるコネクタ接続構造を提供することおよび該コネクタ接続構造を備えた車両用灯具を提供することを目的とするものである。
【課題を解決するための手段】
【００１０】
本願発明は、フレキシブルプリント配線板の構成に工夫を施すことにより、上記目的達成を図るようにしたものである。
【００１１】
すなわち、本願発明に係るコネクタ接続構造は、
フレキシブルプリント配線板の両端部を第１および第２コネクタに挿入することにより上記フレキシブルプリント配線板を上記第１および第２コネクタと電気的に接続するように構成されたコネクタ接続構造において、
上記第１および第２コネクタは、第１コネクタよりも第２コネクタの方が低い位置で開口するように配置されており、
上記フレキシブルプリント配線板は、上記両端部の中間に位置する中間部が上記第２コネクタの開口位置よりも低い位置を経由して延びるように配置されている、ことを特徴とするものである。
【００１２】
上記「第１コネクタ」が開口する向きは特に限定されるものではない。
【００１３】
上記「第２コネクタ」が開口する向きは、短絡による不具合が発生してしまう程の水分がフレキシブルプリント配線板を流下して第２コネクタに浸入する可能性がある向きであれば、特定の向きに限定されるものではない。
【００１４】
上記「フレキシブルプリント配線板」は、その中間部が第２コネクタの開口位置よりも低い位置を経由して延びるように配置されていれば、その具体的な配線形状や第２コネクタの開口位置からの下方変位量の具体的な値は特に限定されるものではない。
【発明の効果】
【００１５】
本願発明に係るコネクタ接続構造は、フレキシブルプリント配線板の両端部を第１および第２コネクタに挿入することにより電気的接続を図る構成となっており、その際、第１および第２コネクタは第１コネクタよりも第２コネクタの方が低い位置で開口するように配置されているが、フレキシブルプリント配線板はその中間部が第２コネクタの開口位置よりも低い位置を経由して延びるように配置されているので、フレキシブルプリント配線板に水分が付着するようなことがあっても、この水分がフレキシブルプリント配線板に沿って流下して第２コネクタに浸入しまうのを効果的に抑制することができる。そしてこれにより、フレキシブルプリント配線板と第２コネクタとの間で短絡による不具合が発生してしまうのを効果的に抑制することができる。
【００１６】
このように本願発明によれば、フレキシブルプリント配線板を第１および第２コネクタと電気的に接続するように構成されたコネクタ接続構造において、第２コネクタが第１コネクタよりも低い位置で開口している場合であっても、短絡による不具合の発生を効果的に抑制することができる。
【００１７】
上記構成において、さらに、第１コネクタが下向きに開口しているとともに第２コネクタが横向きに開口している構成とすれば、フレキシブルプリント配線板の中間部を、第２コネクタ側の端部に近い位置において第２コネクタの開口位置よりも下方側に変位させることが容易に可能となる。そしてこれにより、フレキシブルプリント配線板に水分が付着するようなことがあっても、フレキシブルプリント配線板に沿って第２コネクタまで流下する水分の量を最小限に抑えることができる。
【００１８】
ここで「横向き」とは、水平方向またはこれに近い方向（具体的には水平方向に対する傾斜角度が±５°以下の方向）を向いた状態を意味するものである。
【００１９】
上記構成において、さらに、フレキシブルプリント配線板として、その両端部とその中間部における両端部の近傍に位置する両端部近傍領域とが平板状に延びるように形成された構成とすれば、フレキシブルプリント配線板の両端部を第１および第２コネクタに挿入する作業を容易に行うことが可能となる。
【００２０】
その際、フレキシブルプリント配線板として、その中間部における両端部近傍領域以外の領域がＶ字形に折れ曲がった状態で平板状に延びるように形成された構成とすれば、その中間部における両端部近傍領域以外の領域が単にＵ字形に撓んだ状態で延びているとした場合に比して、フレキシブルプリント配線板の配線形状を安定化させることができる。そしてこれにより、振動荷重が発生する環境下にコネクタ接続構造が配置されたような場合であっても、フレキシブルプリント配線板の中間部が第２コネクタの開口位置よりも低い位置を経由して延びる状態を維持することが容易に可能となる。
【００２１】
さらにその際、上記中間部においてＶ字形に折れ曲がった部分の折れ曲がり角度が１３５°以下の値に設定された構成とすれば、振動荷重が発生する環境下にコネクタ接続構造が配置されたような場合であっても、フレキシブルプリント配線板の中間部が第２コネクタの開口位置よりも低い位置を経由して延びる状態を安定的に維持することが可能となる。
【００２２】
本願発明に係るコネクタ接続構造を備えた車両用灯具として、光源と、この光源からの光を制御する複数の光制御要素を備えた空間光変調器と、この空間光変調器を支持する支持基板と、空間光変調器の複数の光制御要素を制御するための制御回路が搭載された制御基板とを備えた構成とした上で、支持基板に第１コネクタが搭載されるとともに制御基板に第２コネクタが搭載された構成とすれば、次のような作用効果を得ることができる。
【００２３】
すなわち、車両用灯具においては、振動荷重が発生する環境下にコネクタ接続構造が配置されることとなり、かつ、水分を含む環境下にコネクタ接続構造が配置される可能性があるが、このような環境下においても、フレキシブルプリント配線板に付着した水分がフレキシブルプリント配線板に沿って流下して第２コネクタに浸入してしまうのを効果的に抑制することができる。
【図面の簡単な説明】
【００２４】
【図１】本願発明の一実施形態に係るコネクタ接続構造を有する灯具ユニットを備えた車両用灯具を示す側断面図
【図２】上記車両用灯具からコネクタ接続構造およびその周辺構造を取り出して示す斜視図
【図３】図２のIII−III線断面図
【図４】図３のIV部詳細断面図
【図５】（ａ）は、上記実施形態の作用を説明するための図であって、図３と同様の図、（ｂ）は、上記実施形態の第１変形例を示す、図３と同様の図
【図６】上記実施形態の第２変形例を示す、図３と同様の図
【図７】上記実施形態の第３変形例を示す、図３と同様の図
【図８】上記実施形態の第４変形例を示す、図３と同様の図
【発明を実施するための形態】
【００２５】
以下、図面を用いて、本願発明の実施の形態について説明する。
【００２６】
図１は、本願発明の一実施形態に係るコネクタ接続構造を有する灯具ユニット１０を備えた車両用灯具１００を示す側断面図である。また、図２は、この車両用灯具１００からコネクタ接続構造およびその周辺構造を取り出して示す斜視図である。
【００２７】
これらの図において、Ｘで示す方向が「ユニット前方」であり、Ｙで示す方向が「ユニット前方」と直交する「左方向」（ユニット正面視では「右方向」）であり、Ｚで示す方向が「上方向」である。これら以外の図においても同様である。
【００２８】
車両用灯具１００は、車両の前端部に設けられるヘッドランプであって、ランプボディ１０２と透光カバー１０４とで形成される灯室内に、灯具ユニット１０がその前後方向（すなわちユニット前後方向）を車両前後方向と一致させるように光軸調整が行われた状態で収容された構成となっている。
【００２９】
灯具ユニット１０は、空間光変調ユニット２０と、光源側サブアッシー５０と、レンズ側サブアッシー７０とを備えている。そして、この灯具ユニット１０は、その空間光変調ユニット２０の一部を構成するブラケット４０において図示しない取付構造を介してランプボディ１０２に支持されている。
【００３０】
空間光変調ユニット２０は、空間光変調器３０と、この空間光変調器３０よりもユニット後方側に配置された支持基板２２と、この支持基板２２よりもユニット後方側に配置されたヒートシンク２４と、空間光変調器３０よりもユニット前方側に配置されたブラケット４０とを備えている。
【００３１】
ブラケット４０は、金属製の部材であって、ユニット前後方向と直交する鉛直面に沿って延びる鉛直面部４０Ａと、この鉛直面部４０Ａの下端縁からユニット前方へ向けて略水平面に沿って延びる水平面部４０Ｂとを備えている。
【００３２】
光源側サブアッシー５０は、左右１対の光源（具体的には発光ダイオード）５２と、これら光源５２からの出射光を空間光変調ユニット２０へ向けて反射させるリフレクタ５４と、これらを支持するベース部材６０とを備えており、そのベース部材６０においてブラケット４０の水平面部４０Ｂに支持されている。
【００３３】
レンズ側サブアッシー７０は、ユニット前後方向に延びる光軸Ａｘを有する投影レンズ７２と、この投影レンズ７２を支持するレンズホルダ７４とを備えており、そのレンズホルダ７４においてブラケット４０の水平面部４０Ｂに支持されている。
【００３４】
光源側サブアッシー５０よりもユニット前方側でかつレンズ側サブアッシー７０よりも下方側には、各光源５２の点灯によって発生する熱を放散させるためのヒートシンク８０と放熱ファン８２とが配置されている。ヒートシンク８０は、伝熱板８４および左右１対のヒートパイプ８６を介して光源側サブアッシー５０の伝熱板６２と連結されている。
【００３５】
そして、灯具ユニット１０は、リフレクタ５４で反射した各光源５２からの光を空間光変調器３０および投影レンズ７２を介してユニット前方へ向けて照射することにより、種々の配光パターン（例えば、ロービーム用配光パターンやハイビーム用配光パターンあるいは車両走行状況に応じて変化する配光パターンさらには車両前方路面に文字や記号等を描画する配光パターン等）を精度良く形成し得る構成となっている。
【００３６】
これを実現するため、灯具ユニット１０は、図示しない車載カメラからの映像信号に基づいて空間光変調器３０を制御する制御回路（図示せず）が搭載された制御基板１２０を備えた構成となっている。この制御基板１２０は、光源側サブアッシー５０およびヒートシンク８０の下方において水平面に沿って延びるように配置されており、図示しない支持部材を介してブラケット４０の水平面部４０Ｂに支持されている。
【００３７】
空間光変調器３０は、デジタルマイクロミラーディバイス（ＤＭＤ）であって、複数の反射素子（具体的には数十万個の微小ミラー）がマトリクス状に配置された反射制御部３０Ａを備えている。そして、この空間光変調器３０は、その反射制御部３０Ａを構成する複数の反射素子の各々の反射面の角度を制御することによって、リフレクタ５４で反射して各反射素子に到達した左右１対の光源５２からの光を、投影レンズ７２へ向かう方向（図１において実線で示す方向）と投影レンズ７２から外れた方向（図１において２点鎖線で示す方向）とのいずれかの方向を選択して反射させるようになっている。
【００３８】
支持基板２２は、光軸Ａｘと直交する鉛直面に沿って延びるように配置されており、その前面には導電パターン（図示せず）が形成されている。そして、空間光変調器３０は、ソケット２６を介してこの支持基板２２と電気的に接続されている。
【００３９】
空間光変調ユニット２０は、その空間光変調器３０がブラケット４０の鉛直面部４０Ａとヒートシンク２４とによってユニット前後方向両側から支持された構成となっている。ブラケット４０の鉛直面部４０Ａと空間光変調器３０との間には、板状部材３２とガスケット３４とが配置されており、ブラケット４０の鉛直面部４０Ａには透光カバー３６が支持されている。
【００４０】
空間光変調ユニット２０とレンズ側サブアッシー７０との間には、反射制御部３０Ａから２点鎖線で示す方向へ向かう反射光を遮光する遮光カバー９０が配置されている。また、支持基板２２の周囲には、支持基板２２の上部領域を囲む上部カバー９２と支持基板２２の下部領域を囲む下部カバー９４とが配置されている。遮光カバー９０ならびに上部カバー９２および下部カバー９４は、電気的に接地された導電性部材として構成されており、これにより光源５２の点消灯の繰り返しによって発生するノイズから空間光変調器３０を保護する電磁シールドとして機能するようになっている。
【００４１】
図２に示すように、制御基板１２０は、左右１対のフレキシブルプリント配線板１３０、１４０を介して支持基板２２と電気的に接続されている。
【００４２】
図３は、図２のIII−III線断面図である。
【００４３】
図３にも示すように、右側（ユニット正面視では左側）に位置するフレキシブルプリント配線板１３０は、その第１端部１３０ａを支持基板２２の前面２２ａの下端部に搭載された第１コネクタ１５０Ａに挿入することにより該第１コネクタ１５０Ａと電気的に接続されるとともに、その第２端部１３０ｂを制御基板１２０の上面１２０ａの後端部に搭載された第２コネクタ１５０Ｂに挿入することにより該第２コネクタ１５０Ｂと電気的に接続されるようになっている。
【００４４】
第１コネクタ１５０Ａは真下の方向へ向けて下向きに開口しており、第２コネクタ１５０Ｂは真後ろの方向へ向けて横向きに開口している。第１および第２コネクタ１５０Ａ、１５０Ｂは、いずれも同様の構成を有している。
【００４５】
フレキシブルプリント配線板１３０は、ユニット側面視において第１端部１３０ａから第２端部１３０ｂへ向けて折れ線状に延びるようにして帯状に形成されている。そして、このフレキシブルプリント配線板１３０は、その第１端部１３０ａが第１コネクタ１５０Ａに対して下方側から挿入されるとともに、その第２端部１３０ｂが第２コネクタ１５０Ｂに対してユニット後方側から挿入されるようになっている。
【００４６】
図４は、図３のIV部詳細断面図であって、フレキシブルプリント配線板１３０の第２端部１３０ｂが第２コネクタ１５０Ｂと電気的に接続される様子を示す図である。
【００４７】
図４（ａ）に示すように、第２コネクタ１５０Ｂは、ユニット後方へ向けて開口する横長矩形状の開口部１５０Ｂａを有しており、この開口部１５０Ｂａ内の空間に上下１対の金属端子１５２、１５４が配置された構成となっている。
【００４８】
フレキシブルプリント配線板１３０は、例えばポリイミド製のベースフィルムの上面に複数の導電線（具体的には信号線およびグラウンド線）１３２が形成された構成となっている。その際、各導電線１３２は、電気メッキ処理による金メッキ層の導電パターンとしてフレキシブルプリント配線板１３０の先端面までその長手方向に延びるように形成されている。
【００４９】
図４（ｂ）に示すように、第２コネクタ１５０Ｂは、その開口部１５０Ｂａにフレキシブルプリント配線板１３０の第２端部１３０ｂが挿入されたとき、この第２端部１３０ｂに対して上下１対の金属端子１５２、１５４が上下両側から係合して弾性変形し、これによりフレキシブルプリント配線板１３０との電気的接続が行われるようになっている。
【００５０】
なお、上下１対の金属端子１５２、１５４は、上側に位置する金属端子１５２の方が下側に位置する金属端子１５４よりもユニット後方側へ長く延びるように形成されている。
【００５１】
フレキシブルプリント配線板１３０の第１端部１３０ａと第１コネクタ１５０Ａとの電気的接続も、第２端部１３０ｂと第２コネクタ１５０Ｂとの電気的接続と同様にして行われるようになっている。
【００５２】
図３に示すように、フレキシブルプリント配線板１３０は、第１端部１３０ａと第２端部１３０ｂとの中間に位置する中間部１３０ｃが第２コネクタ１５０Ｂの開口位置よりも低い位置を経由して延びるように配置されている。
【００５３】
その際、フレキシブルプリント配線板１３０は、第１端部１３０ａと中間部１３０ｃにおける第１端部１３０ａの近傍に位置する第１端部近傍領域１３０ｃ１とが鉛直面に沿って延びるように形成されており、また、第２端部１３０ｂおよび中間部１３０ｃにおける第２端部１３０ｂの近傍に位置する第２端部近傍領域１３０ｃ２とが水平面に沿って延びるように形成されている。
【００５４】
そして、フレキシブルプリント配線板１３０は、その中間部１３０ｃにおける第１および第２端部近傍領域１３０ｃ１、１３０ｃ２以外の領域がＶ字形に折れ曲がった状態で平板状に延びるように形成されている。この中間部１３０ｃにおいてＶ字形に折れ曲がった部分は、その折れ曲がり角度θが１３５°以下の値（例えば９０°よりも僅かに大きい程度の値）に設定されている。
【００５５】
上述したように、フレキシブルプリント配線板１３０は、ユニット側面視において第１端部１３０ａから第２端部１３０ｂへ向けて折れ線状に延びるように形成されているが、これはフレキシブルプリント配線板１３０の中間部１３０ｃに折り曲げ加工が施されることによって行われている。
【００５６】
フレキシブルプリント配線板１３０には、その中間部１３０ｃの上面に電磁シールド用のシールドフィルム（図示せず）が貼付されており、これにより折り曲げ加工が施されたとき容易にクセ付けされるようになっている。
【００５７】
図２に示すように、左側に位置するフレキシブルプリント配線板１４０は、フレキシブルプリント配線板１３０よりもやや広幅で形成されており、その第１端部１４０ａを支持基板２２の前面２２ａの下端部に搭載された第１コネクタ１６０Ａに対して下方側から挿入することにより該第１コネクタ１６０Ａと電気的に接続されるとともに、その第２端部１４０ｂを制御基板１２０の上面１２０ａの後端部に搭載された第２コネクタ１６０Ｂに対してユニット後方側から挿入することにより該第２コネクタ１６０Ｂと電気的に接続されるようになっている。
【００５８】
このフレキシブルプリント配線板１４０も、フレキシブルプリント配線板１３０と同様の配線形状で形成されている。
【００５９】
すなわち、このフレキシブルプリント配線板１４０は、ユニット側面視において第１端部１４０ａから第２端部１４０ｂへ向けて折れ線状に延びるようにして帯状に形成されている。そして、このフレキシブルプリント配線板１４０は、第１端部１４０ａと第２端部１４０ｂとの中間に位置する中間部１４０ｃが第２コネクタ１６０Ｂの開口位置よりも低い位置を経由して延びるように配置されており、その中間部１３０ｃにおける第１および第２端部近傍領域１４０ｃ１、１４０ｃ２以外の領域はＶ字形に折れ曲がった状態で平板状に延びるように形成されている。
【００６０】
次に本実施形態の作用について説明する。
【００６１】
本実施形態に係るコネクタ接続構造１１０は、フレキシブルプリント配線板１３０の第１および第２端部１３０ａ、１３０ｂ（両端部）を第１および第２コネクタ１５０Ａ、１５０Ｂに挿入することにより電気的接続を図る構成となっており、その際、第１および第２コネクタ１５０Ａ、１５０Ｂは第１コネクタ１５０Ａよりも第２コネクタ１５０Ｂの方が低い位置で開口するように配置されているが、フレキシブルプリント配線板１３０はその中間部１３０ｃが第２コネクタ１５０Ｂの開口位置よりも低い位置を経由して延びるように配置されているので、次のような作用効果を得ることができる。
【００６２】
すなわち、仮に、図５（ａ）に示すコネクタ接続構造１１０Ｘのように、フレキシブルプリント配線板１３０Ｘとして、その中間部１３０Ｘｃが第１端部１３０Ｘａから第２端部１３０Ｘｂへ向けて略円弧状に湾曲して延びている場合には、フレキシブルプリント配線板１３０Ｘに水分が付着するようなことがあると、この水分がフレキシブルプリント配線板１３０Ｘに沿って流下してそのまま第２コネクタ１５０Ｂに浸入しまうおそれがある。
【００６３】
これに対し、本実施形態のフレキシブルプリント配線板１３０は、その中間部１３０ｃが第２コネクタ１５０Ｂの開口位置よりも低い位置を経由して延びるように配置されているので、フレキシブルプリント配線板１３０Ｘに水分が付着するようなことがあっても、この水分がフレキシブルプリント配線板１３０Ｘに沿って流下して第２コネクタ１５０Ｂに浸入しまうのを効果的に抑制することができる。そしてこれにより、フレキシブルプリント配線板１３０と第２コネクタ１５０Ｂとの間で短絡による不具合が発生してしまうのを効果的に抑制することができる。
【００６４】
このように本実施形態によれば、フレキシブルプリント配線板１３０を第１および第２コネクタ１５０Ａ、１５０Ｂと電気的に接続するように構成されたコネクタ接続構造１１０において、第２コネクタ１５０Ｂが第１コネクタ１５０Ａよりも低い位置で開口している場合であっても、短絡による不具合の発生を効果的に抑制することができる。
【００６５】
なお、フレキシブルプリント配線板１４０と第１および第２コネクタ１６０Ａ、１６０Ｂとの電気的接続に関しても同様の作用効果を得ることができる。
【００６６】
本実施形態においては、第１コネクタ１５０Ａが下向きに開口しているとともに第２コネクタ１５０Ｂが横向きに開口しているので、フレキシブルプリント配線板１３０の中間部１３０ｃを、第２端部１３０ｂに近い位置（すなわち第２コネクタ１５０Ｂ側の端部に近い位置）において第２コネクタ１５０Ｂの開口位置よりも下方側に変位させることが容易に可能となる。そしてこれにより、フレキシブルプリント配線板１３０に水分が付着するようなことがあっても、フレキシブルプリント配線板１３０に沿って第２コネクタ１５０Ｂまで流下する水分の量を最小限に抑えることができる。
【００６７】
また、フレキシブルプリント配線板１３０は、その第１端部１３０ａおよび第１端部近傍領域１３０ｃ１ならびに第２端部１３０ｂおよび第２端部近傍領域１３０ｃ２が平板状に延びるように形成されているので、フレキシブルプリント配線板１３０の第１および第２端部１３０ａ、１３０ｂを第１および第２コネクタ１５０Ａ、１５０Ｂに挿入する作業を容易に行うことが可能となる。
【００６８】
その際、フレキシブルプリント配線板１３０は、その中間部１３０ｃにおける第１および第２端部近傍領域１３０ｃ１、１３０ｃ２以外の領域がＶ字形に折れ曲がった状態で平板状に延びるように形成されているので、次のような作用効果を得ることができる。
【００６９】
すなわち、仮に、図５（ｂ）に示すコネクタ接続構造２１０のように、フレキシブルプリント配線板２３０として、その中間部２３０ｃにおける第１および第２端部近傍領域２３０ｃ１、２３０ｃ２以外の領域が単にＵ字形に撓んだ状態で延びているとした場合には、フレキシブルプリント配線板２３０の配線形状が不安定になる。このため、振動荷重が発生する環境下にコネクタ接続構造２１０が配置されたような場合には、フレキシブルプリント配線板２３０の中間部２３０ｃが図中２点鎖線で示すような配線形状に変形してしまうおそれがある。そしてこれにより、フレキシブルプリント配線板２３０の中間部２３０ｃが第２コネクタ１５０Ｂの開口位置よりも低い位置を経由して延びる状態を維持することができなくなってしまい、フレキシブルプリント配線板２３０に付着した水分がフレキシブルプリント配線板２３０に沿って第２コネクタ１５０Ｂまで流下してしまうおそれがある。
【００７０】
これに対し、本実施形態のフレキシブルプリント配線板１３０は、その中間部１３０ｃにおける第１および第２端部近傍領域１３０ｃ１、１３０ｃ２以外の領域がＶ字形に折れ曲がった状態で平板状に延びるように形成されているので、振動荷重が発生する環境下にコネクタ接続構造１１０が配置されたような場合であっても、フレキシブルプリント配線板１３０の中間部１３０ｃが第２コネクタ１５０Ｂの開口位置よりも低い位置を経由して延びる状態を維持することが容易に可能となる。
【００７１】
しかも本実施形態においては、中間部１３０ｃにおいてＶ字形に折れ曲がった部分の折れ曲がり角度が１３５°以下の値に設定されているので、振動荷重が発生する環境下にコネクタ接続構造１１０が配置されたような場合であっても、フレキシブルプリント配線板１３０の中間部１３０ｃが第２コネクタ１５０Ｂの開口位置よりも低い位置を経由して延びる状態を安定的に維持することが可能となる。
【００７２】
本実施形態においては、コネクタ接続構造１１０を備えた車両用灯具１００の構成として、光源５２と、この光源５２からの光を制御する複数の反射素子（光制御要素）を備えた空間光変調器３０と、この空間光変調器３０を支持する支持基板２２と、空間光変調器３０の複数の反射素子を制御するための制御回路が搭載された制御基板１２０とを備えており、その上で、支持基板２２に第１コネクタ１５０Ａが搭載されるとともに制御基板１２０に第２コネクタ１５０Ｂが搭載された構成となっているので、次のような作用効果を得ることができる。
【００７３】
すなわち、車両用灯具１００においては、振動荷重が発生する環境下にコネクタ接続構造１１０が配置されることとなり、かつ、水分を含む環境下にコネクタ接続構造１１０が配置される可能性があるが、このような環境下においても、フレキシブルプリント配線板１３０に付着した水分がフレキシブルプリント配線板１３０に沿って流下して第２コネクタ１５０Ｂに浸入してしまうのを効果的に抑制することができる。
【００７４】
上記実施形態においては、支持基板２２と制御基板１２０とが左右１対のフレキシブルプリント配線板１３０、１４０を介して電気的に接続されているものとして説明したが、左右１対のフレキシブルプリント配線板１３０、１４０のうちいずれか一方のみを備えた構成とすることも可能であり、また、左右１対のフレキシブルプリント配線板１３０、１４０が一体的に形成された構成とすることも可能である。
【００７５】
上記実施形態においては、車両用灯具１００に組み込まれた車載用のコネクタ接続構造１１０について説明したが、このコネクタ接続構造１１０を車載用以外の用途に用いることも可能である。
【００７６】
なお、図５（ｂ）に示すコネクタ接続構造２１０を、上記実施形態の第１変形例として位置付けることも可能である。
【００７７】
すなわち、図５（ｂ）に示すコネクタ接続構造２１０のフレキシブルプリント配線板２３０は、その第１および第２端部２３０ａ、２３０ｂの間に位置する中間部２３０ｃが第２コネクタ１５０Ｂの開口位置よりも低い位置を経由して延びるように配置されているので、振動荷重が発生しない環境下あるいは振動荷重が発生しても小さい環境下で用いられるような場合には、上記実施形態の場合と同様、第２コネクタ１５０Ｂが第１コネクタ１５０Ａよりも低い位置で開口しているにもかかわらず短絡による不具合の発生を効果的に抑制することができる。
【００７８】
次に、上記実施形態の第２変形例について説明する。
【００７９】
図６は、本変形例に係るコネクタ接続構造３１０を示す、図３と同様の図である。
【００８０】
図６に示すように、本変形例の基本的な構成は上記実施形態の場合と同様であるが、フレキシブルプリント配線板３３０に補強板３３４Ａ、３３４Ｂが追加されている点で上記実施形態の場合と一部異なっている。
【００８１】
すなわち、本変形例のフレキシブルプリント配線板３３０は、その第１端部３３０ａおよび第１端部近傍領域３３０ｃ１の後面に補強板３３４Ａが貼付されるとともに、その第２端部３３０ｂおよび第２端部近傍領域３３０ｃ２の下面に補強板３３４Ｂが貼付された構成となっている。各補強板３３４Ａ、３３４Ｂは、例えばポリイミド製のフィルムで構成されている。
【００８２】
なお、フレキシブルプリント配線板３３０自体の構成は上記実施形態の場合と同様であって、その中間部３３０ｃにおける第１および第２端部近傍領域３３０ｃ１、３３０ｃ２以外の領域はＶ字形に折れ曲がった状態で平板状に延びるように形成されている。
【００８３】
本変形例の構成を採用することにより、フレキシブルプリント配線板１３０の第１および第２端部３３０ａ、３３０ｂを第１および第２コネクタ１５０Ａ、１５０Ｂに挿入する作業をより一層容易に行うことが可能となる。
【００８４】
次に、上記実施形態の第３変形例について説明する。
【００８５】
図７は、本変形例に係るコネクタ接続構造４１０を示す、図３と同様の図である。
【００８６】
図７に示すように、本変形例の基本的な構成は上記実施形態の場合と同様であるが、制御基板１２０の配置姿勢が上記実施形態の場合と一部異なっており、これに伴い、フレキシブルプリント配線板４３０の形状も上記実施形態の場合と一部異なっている。
【００８７】
すなわち本変形例においては、制御基板１２０が水平面に対してユニット後方側へ向けて多少下向きに傾斜した状態（例えば４°程度下向きに傾斜した状態）で配置されている。これに伴い、第２コネクタ１５０Ｂは、ユニット後方側へ向けて多少下向きに傾斜した方向に開口している。
【００８８】
そして、この第２コネクタ１５０Ｂに対してフレキシブルプリント配線板４３０の第２端部４３０ｂがユニット後方側から挿入されることにより、フレキシブルプリント配線板４３０は、その第２端部４３０ｂおよび第２端部近傍領域４３０ｃ２がユニット後方側へ向けて多少下向きに傾斜した方向に延びた状態で配置されるようになっている。
【００８９】
一方、本変形例においても、フレキシブルプリント配線板４３０の第１端部４３０ａおよび第１端部近傍領域４３０ｃ１は鉛直面に沿って延びており、また、フレキシブルプリント配線板４３０の中間部４３０ｃにおける第１および第２端部近傍領域４３０ｃ１、４３０ｃ２以外の領域はＶ字形に折れ曲がった状態で平板状に延びるように形成されている。
【００９０】
本変形例の構成を採用した場合においても、上記実施形態の場合と同様の作用効果を得ることができる。
【００９１】
しかも本変形例の構成を採用することにより、振動荷重が発生する環境下にコネクタ接続構造４１０が配置されるような場合においても、フレキシブルプリント配線板４３０の第２端部４３０ｂおよび第２端部近傍領域４３０ｃ２に付着した水分が第２コネクタ１５０Ｂへ向けて流下しないようにすることが容易に可能となる。
【００９２】
次に、上記実施形態の第４変形例について説明する。
【００９３】
図８は、本変形例に係るコネクタ接続構造５１０を示す、図３と同様の図である。
【００９４】
図８に示すように、本変形例の基本的な構成は上記実施形態の場合と同様であるが、制御基板１２０の配置姿勢が上記実施形態の場合と一部異なっており、これに伴い、フレキシブルプリント配線板５３０の形状も上記実施形態の場合と一部異なっている。
【００９５】
すなわち本変形例においては、制御基板１２０が水平面に対してユニット後方側へ向けて多少上向きに傾斜した状態（例えば４°程度上向きに傾斜した状態）で配置されている。これに伴い、第２コネクタ１５０Ｂは、ユニット後方側へ向けて多少上向きに傾斜した方向に開口している。
【００９６】
そして、この第２コネクタ１５０Ｂに対してフレキシブルプリント配線板５３０の第２端部５３０ｂがユニット後方側から挿入されることにより、フレキシブルプリント配線板５３０は、その第２端部５３０ｂおよび第２端部近傍領域５３０ｃ２がユニット後方側へ向けて多少上向きに傾斜した方向に延びた状態で配置されるようになっている。
【００９７】
本変形例においては、フレキシブルプリント配線板５３０の第２端部近傍領域５３０ｃ２が上記実施形態の場合よりもユニット前後方向に関して短尺で形成されている。
【００９８】
一方、本変形例においても、フレキシブルプリント配線板５３０の第１端部５３０ａおよび第１端部近傍領域５３０ｃ１は鉛直面に沿って延びており、また、フレキシブルプリント配線板５３０の中間部５３０ｃにおける第１および第２端部近傍領域５３０ｃ１、５３０ｃ２以外の領域はＶ字形に折れ曲がった状態で平板状に延びるように形成されている。
【００９９】
本変形例においては、制御基板１２０が水平面に対してユニット後方側へ向けて多少上向きに傾斜しており、これに伴い、フレキシブルプリント配線板５３０もその第２端部５３０ｂおよび第２端部近傍領域５３０ｃ２がユニット後方側へ向けて多少上向きに傾斜した方向に延びた状態で配置されているが、第２端部近傍領域５３０ｃ２が上記実施形態の場合よりもユニット前後方向に関して短尺で形成されているので、この第２端部近傍領域５３０ｃに付着する水分の量を少なくすることができ、これによりフレキシブルプリント配線板５３０に沿って第２コネクタ１５０Ｂまで流下する水分の量を最小限に抑えることができる。
【０１００】
したがって、本変形例の構成を採用した場合においても、上記実施形態の場合と略同様の作用効果を得ることができる。
【０１０１】
上記実施形態およびその変形例において諸元として示した数値は一例にすぎず、これらを適宜異なる値に設定してもよいことはもちろんである。
【０１０２】
また、本願発明は、上記実施形態およびその変形例に記載された構成に限定されるものではなく、これ以外の種々の変更を加えた構成が採用可能である。
【符号の説明】
【０１０３】
１０  灯具ユニット
２０  空間光変調ユニット
２２  支持基板
２２ａ  前面
２４  ヒートシンク
２６  ソケット
３０  空間光変調器
３０Ａ  反射制御部
３２  板状部材
３４  ガスケット
３６  透光カバー
４０  ブラケット
４０Ａ  鉛直面部
４０Ｂ  水平面部
５０  光源側サブアッシー
５２  光源
５４  リフレクタ
６０  ベース部材
６２  伝熱板
７０  レンズ側サブアッシー
７２  投影レンズ
７４  レンズホルダ
８０  ヒートシンク
８２  放熱ファン
８４  伝熱板
８６  ヒートパイプ
９０  遮光カバー
９２  上部カバー
９４  下部カバー
１００  車両用灯具
１０２  ランプボディ
１０４  透光カバー
１１０、２１０、３１０、４１０、５１０  コネクタ接続構造
１２０  制御基板
１２０ａ  上面
１３０、１４０、２３０、３３０、４３０、５３０  フレキシブルプリント配線板
１３０ａ、１４０ａ、２３０ａ、３３０ａ、４３０ａ、５３０ａ  第１端部
１３０ｂ、１４０ｂ、２３０ｂ、３３０ｂ、４３０ｂ、５３０ｂ  第２端部
１３０ｃ、１４０ｃ、２３０ｃ、３３０ｃ、４３０ｃ、５３０ｃ  中間部
１３０ｃ１、１４０ｃ１、２３０ｃ１、３３０ｃ１、４３０ｃ１、５３０ｃ１  第１端部近傍領域
１３０ｃ２、１４０ｃ２、２３０ｃ２、３３０ｃ２、４３０ｃ２、５３０ｃ２  第２端部近傍領域
１３２  導電線
１５０Ａ、１６０Ａ  第１コネクタ
１５０Ｂ、１６０Ｂ  第２コネクタ
１５０Ｂａ  開口部
１５２、１５４  金属端子
３３４Ａ、３３４Ｂ  補強板
Ａｘ  光軸
θ  折れ曲がり角度
【図１】
2020194618.tif 000003
【図２】
2020194618.tif 000004
【図３】
2020194618.tif 000005
【図４】
2020194618.tif 000006
【図５】
2020194618.tif 000007
【図６】
2020194618.tif 000008
【図７】
2020194618.tif 000009
【図８】
2020194618.tif 000010